(57)【要約】      （修正有）【課題】搬送や梱包時あるいは不使用時に、コンパクトに脚体を折り畳み、加えて背凭れ板を取り外すことができる縁台を提供する。【解決手段】腰掛け用の上面板２を有し、上面板の下面四隅に脚体４を設けた縁台であって、脚体を折り畳み可能としてあることとし、上面板の一縁側には背凭れ板が着脱自在に設けられている。脚体の折り畳みは、脚体間に渡し桿５を架設し、渡し桿に第一のリンクバー６の一端を枢支し、第一のリンクバーの他端に第二のリンクバー９の一端を枢支し、第二のリンクバーの他端は上面板の裏面に固定される構造であり、背凭れ板の着脱は、上面板の裏面に設けられたブラケット１５に対して、背凭れ板の背面から屈曲して延長されている取り付けパイプ１２が嵌装される構造である。【選択図】図１３
0003231448.tif 000002
【実用新案登録請求の範囲】
【請求項１】
腰掛け用の上面板を有し、その上面板の下面四隅に脚体を設けた縁台であって、前記脚体を折り畳み可能としてあることを特徴とする縁台。
【請求項２】
前記折り畳み構造は、前記脚体間に渡し桿を架設し、その渡し桿に第一のリンクバーの一端を枢支し、かつ、その第一のリンクバーの他端に第二のリンクバーの一端を枢支し、その第二のリンクバーの他端は上記上面板の裏面に固定してあることを特徴とする請求項１に記載の縁台。
【請求項３】
前記第一のリンクバーと第二のリンクバーの枢支の構造は、第一のリンクバーを角筒状として、その内部にスプリングで透孔を介して外方に突出するピン材を有し、前記第一のリンクバーに対して、断面コ字状とした第二のリンクバーを嵌装させ、第二のリンクバーに形成されている透孔に、前記ピン材が係合されることで構成されていることを特徴とする請求項２に記載の縁台。
【請求項４】
前記上面板の一縁側には背凭れ板が着脱自在に設けられていることを特徴とする請求項１から３のうち１項に記載の縁台。
【請求項５】
前記背凭れ板の着脱は、上面板の裏面に設けられたブラケットに対して、背凭れ板の背面から屈曲して延長されている取り付けパイプが嵌装される構造とされていることを特徴とする請求項４に記載の縁台。
【請求項６】
前記ブラケットにはピン係合孔が穿設されていることを特徴とする請求項５に記載の縁台。
【請求項７】
前記取り付けパイプにはスプリングを介してピン材を突出させる透孔が形成されていることを特徴とする請求項５に記載の縁台。
【考案の詳細な説明】
【技術分野】
【０００１】
本考案は縁台に関し、特に脚体を折り畳み可能とするとともに、背凭れ板を着脱自在とした縁台に関する。
【背景技術】
【０００２】
従来、縁台は腰掛け用の上面板と、その上面板下面の四隅に脚体を設けた構成のものが多く、その脚体は補強桿の存在で安定固定されているもので、折り畳みは不可能な構成となっている。また、一般的に背凭れ板を備えたものは、その背凭れ板も固設された構造となっている。
【０００３】
縁台は庭や屋内、公園、遊園地、露地等に置かれ、夕涼みや休息等多くの目的で使用されるが、荒天時にも晒されたままとされることが多く、製品寿命も短くなってしまうことが多い。
【０００４】
また、製造工場からの搬出や流通にあっても製品が嵩張って大きなスペースを必要としてしまい、加えて、梱包や収納、店頭等での陳列にも大きな負担が強いられてしまうこととなってしまう。
【先行技術文献】
【特許文献】
【０００５】
出願人は、本願考案について、先行する技術文献を調査したが、格別に本願考案と関連し、類似していると思われる文献は発見できなかった。
【考案の概要】
【考案が解決しようとする課題】
【０００６】
本願考案が解決しようとする問題点は、従来、搬送や梱包時あるいは不使用時の収納について、コンパクトに脚体を折り畳み、加えて背凭れ板を取り外すことができる縁台は存在していなかったという点である。
【課題を解決するための手段】
【０００７】
上記した問題点を解決するために、本考案に係る縁台は、腰掛け用の上面板を有し、その上面板の下面四隅に脚体を設けた縁台であって、前記脚体を折り畳み可能としてあることを特徴としている。
【０００８】
また、本考案に係る縁台は、前記折り畳み構造は、前記脚体間に渡し桿を架設し、その渡し桿に第一のリンクバーの一端を枢支し、かつ、その第一のリンクバーの他端に第二のリンクバーの一端を枢支し、その第二のリンクバーの他端は上記上面板の裏面に固定してあることを特徴としている。
【０００９】
さらに、本考案に係る縁台は、前記第一のリンクバーと第二のリンクバーの枢支の構造は、第一のリンクバーを角筒状として、その内部にスプリングで透孔を介して外方に突出するピン材を有し、前記第一のリンクバーに対して、断面コ字状とした第二のリンクバーを嵌装させ、第二のリンクバーに形成されている透孔に、前記ピン材が係合されることで構成されていることを特徴としている。
【００１０】
そして本考案に係る縁台は、前記上面板の一縁側には背凭れ板が着脱自在に設けられていることを特徴としている。
【００１１】
また、本考案に係る縁台は、前記背凭れ板の着脱は、上面板の裏面に設けられたブラケットに対して、背凭れ板の背面から屈曲して延長されている取り付けパイプが嵌装される構造とされていることを特徴としている。
【００１２】
さらに、本考案に係る縁台は、前記ブラケットにはピン係合孔が穿設されていることを特徴としている。
【００１３】
しすて、本考案に係る縁台は、前記取り付けパイプにはスプリングを介してピン材を突出させる透孔が形成されていることを特徴としている。
【考案の効果】
【００１４】
本考案に係る縁台は上記のように構成されており、脚体は折り畳むことが可能となり、加えて、背凭れ板は着脱自在となっているので、不使用時の収納をはじめ、梱包や搬送（流通）時にあってもコンパクトな製品として取り扱うことができ、不必要なスペースを使用することがなく、効率的、経済的となっている。
【図面の簡単な説明】
【００１５】
【図１】本考案を実施した縁台の斜視図である。
【図２】同じく反転させた状態の斜視図である。
【図３】同じく脚体の折り畳み開始時の斜視図である。
【図４】同じく脚体の折り畳み完成時の斜視図である。
【図５】背凭れ板を装着した状態の正面図である。
【図６】同じく背面図である。
【図７】同じく平面図である。
【図８】同じく底面図である。
【図９】同じく右側面図である。
【図１０】同じく斜視図である。
【図１１】同じく別方向から見た斜視図である。
【図１２】同じく反転させた状態の斜視図である。
【図１３】背凭れ板の装着を説明する図である。
【考案を実施するための形態】
【００１６】
図面として示し、実施例で説明したように構成したことで実現した。
【実施例１】
【００１７】
次に、本考案の好ましい実施の一例を図面を参照して説明する。図中１は本考案を実施した縁台を示しており、この縁台１はアルミニウム製の長尺平板を長手方向に沿って並列させ簀の子状とした腰掛け用の上面板２を有しており、この上面板２はその底面で端部の短手方向に設けられた連結板３、３によって一体化されている。
【００１８】
前記各々の連結板３、３の両端には脚体４、４‥が各々その基端を軸支されて枢動可能に備えられている。この各連結板３、３に備えられた脚体４、４間には渡し桿５、５が一体的に架設されており、この渡し桿５には第一のリンクバー６の一端が枢動自在に取り付けられている。この第一のリンクバーは角パイプによって成形されており、その先端開口部から、Ｕ字状或いはＶ字状とし、その先端外方に係止ピン材７を備えたスプリング８が挿入され、第一のリンクバー６に形成された透孔から前記係止ピン材７が出入自在に装備されている。
【００１９】
一方、図中９は第二のリンクバーを示しており、この第二のリンクバー９は断面コ字状のものとなっており、一端の両側面に前記した係止ピン材７、７が係合する係合透孔が形成されており、この第二のリンクバー９を第一のリンクバー６に嵌合することで、係止ピン材７がスプリング８の附勢力で第二のリンクバー９の係合透孔に係合する。この係合によって第二のリンクバー９は第一のリンクバー６に対して関節のように枢動が可能となっている。
【００２０】
この第二のリンクバー９の他端は上面板２の裏面に枢着されているが、この枢着は、上面板２を形成する長尺平板の隣接する物に対してなされており、脚体４を折り畳んだ際に、第一及び第二のリンクバー６、ないし９の重なり、当接がないように図られている。
【００２１】
また、図中１０、１０‥は脚体４、４‥を折り畳んだ際に、その位置決めをし、ずれや歪みが生じることのないように補助してガイドするガイドであり、このガイド１０、１０‥は上面板２を構成する長尺平板の隙間に設けられている。
【００２２】
上記した構成によって、脚体４、４‥は上面板２の裏面内方へ折り畳むことができ、リンク機構を直線状とし、第二のリンクバー９によって第一のリンクバー６を支持することで脚体４、４‥は据え置き状態を強固に保持することができるものとなっている。
【００２３】
さらに、図５乃至図１３は、前記縁台１に対して、背凭れ板１１を装着した状態を示している。図に示す背凭れ板１１は長尺平板を二枚平行に並べたものとしてあるが、これにこだわらず一枚板のものを始め、三枚板その他格子状として構成したもの等でもよいことは勿論であり、長尺平板に代え、角丸とした平板（楕円）、丸棒等とすることもできる。
【００２４】
前記背凭れ板１１の背面には、各々短手方向の両端寄りに二本の連結パイプ１２、１２の一方端が固定されている。この二本の連結パイプ１２、１２は各々途中で９０度方向に屈曲されて、上面板２の底面へ臨まされるものとなっている。
【００２５】
また、前記した各々の連結パイプ１２、１２の先端にはＵ字状あるいはＶ字状をし、その一方の先端外方に係止ピン材１３を備えたスプリング１４が挿入されており、その係止ピン材１３は連結パイプ１２、１２の先端寄り下方に形成された透孔から出入自在に装備されている（図中Ａとして示している）。
【００２６】
一方、連結パイプ１２、１２の屈曲された先端が臨まされる上面板２の底面には各々二つのブラケット１５、１５が直線的に並べられて設けられている。この各々のブラケット１５の連結パイプ１２の挿通される挿通部の底頂面には前記係止ピン材１３が係合される透孔１６が形成され、この透孔１６に対して係止ピン材１３はスプリング１４の附勢力によって係合してロック状態とされ、背凭れ板１１が縁台１に対して取り付けられる（図中Ｃとして示す）。
【００２７】
このブラケット１５、１５が二つ並べられていることで、連結パイプ１２の装着状態は補強されることとなるが、上面板２の端縁寄りのブラケット１５のみを使用することもでき、その場合背凭れ板１１の配置は上面板１２と距離をもった深い位置とすることも可能である。
【００２８】
そして、突出されている係止ピン材１３をスプリング１４の附勢力に抗して押し戻してやることで、係合は解除され、背凭れ板１１を縁台１から取り外してしまうことができる。
【００２９】
本考案に係る縁台は上記のように構成されている。そのため、必要や要望に応じ、背凭れ板１１の存在があるもの、無いものを自在に採択して使用することができる。また、脚体４、４も折り畳み可能なので、製品として搬送する場合の梱包、流通にもスペース的な無駄がなく実行することができ、不使用時の収納にも至便なものとなっている。
【産業上の利用可能性】
【００３０】
本実施例に係る縁台は上記のように構成されている。本実施例では腰掛け用の上面板２を長方形として表しているが、これにこだわらず楕円形等の変形したタイプのものであっても本考案の内容を応用実施することができるものである。また、実施例にあっては素材としてアルミニウムを想定しているが、これにこだわるものでないことは勿論で、他の金属やプラスチック等々が使用可能なものである。
【符号の説明】
【００３１】
１    縁台
２    上面板
３    連結板
４    脚体
５    渡し桿
６    第一のリンクバー
７、１３  係止ピン材
８、１４  スプリング
９    第二のリンクバー
１０  ガイド
１１  背凭れ板
１２  連結パイプ
１５  ブラケット
１６  透孔
【図１】
0003231448.tif 000003
【図２】
0003231448.tif 000004
【図３】
0003231448.tif 000005
【図４】
0003231448.tif 000006
【図５】
0003231448.tif 000007
【図６】
0003231448.tif 000008
【図７】
0003231448.tif 000009
【図８】
0003231448.tif 000010
【図９】
0003231448.tif 000011
【図１０】
0003231448.tif 000012
【図１１】
0003231448.tif 000013
【図１２】
0003231448.tif 000014
【図１３】
0003231448.tif 000015